(57)【特許請求の範囲】
【請求項１】
五角形の筒形状を有する側壁と、
側壁の一端を閉塞する底壁と、を備え、
側壁は、五角形の筒形状の側面に配置される平板状の第１〜第５壁面を有し、
第１壁面は、筒形状の軸方向に垂直な方向の中央に、筒形状の軸方向に平行な第１折曲線を有しており、
底壁は、第１壁面に両端のそれぞれに隣接する第２壁面と第３壁面とのそれぞれに回動可能に連結されている第１底部と、第１底部の下面に接触しており、第４壁面と第５壁面とのそれぞれに回動可能に連結される第２底部と、を備え、
第１底部は、第１折曲線の底壁側の端と第４壁面と第５壁面との境界線の底壁側の端とを結ぶ底部中心線上に位置する第２折曲線を有し、
第２底部は、底部中心線上に位置する第３折曲線を有し、
第１壁面は、第１折曲線において筒形状の外側に折り曲げ可能であり、
底壁は、第２折曲線と第３折曲線とにおいて筒形状の内側に折り曲げ可能である、包装容器。
【請求項２】
底壁は、第１底部の上面に接触しており、第１壁面に回動可能に連結されている第３底部を、さらに備え、
第３底部は、第１折曲線の底壁側の端と第４壁面と第５壁面との間の頂点とを結ぶ線上に、筒形状の内側に折曲可能な第４折曲線を有する、請求項１に記載の包装容器。
【請求項３】
第１底部は、第２壁面に回動可能に連結される第１底片と、第３壁面に回動可能に連結される第２底片と、を備え、
第１底片は、第２壁面から底部中心線を越えて、第３壁面側まで延びており、
第２底片は、底部中心線よりも第３壁面側に位置しており、
第１底片と第２底片とは、底部中心線よりも第３壁面側で互いに固定されており、
第２折曲線は、第１底片に配置されている、請求項１又は２に記載の包装容器。
【請求項４】
第２底部は、第４壁面に回動可能に連結される第３底片と、第５壁面に回動可能に連結される第４底片と、を備え、
第３底片は、第４壁面から底部中心線を越えて、第５壁面側まで延びており、
第３底片と第４底片とは、底部中心線よりも第５壁面側で互いに固定されており、
第３折曲線は、第３底片に配置されている、請求項１から３のいずれか一項に記載の包装容器。
【請求項５】
側壁の他端を閉塞する蓋を、さらに備え、
蓋は、第２〜第４壁面のいずれかの壁面に回動可能に連結されている、請求項１から４のいずれか一項に記載の包装容器。
【発明の詳細な説明】
【技術分野】
【０００１】
本明細書は、包装容器に関する。
【背景技術】
【０００２】
特許文献１，２には、筒形状の側壁の連結を解かずに折りたたみ、その状態から展開して再度組立可能な包装容器が開示されている。特許文献１には、側壁が四角形の筒形状を有する包装容器が開示されている。この包装容器では、側壁のうち、互いに対向する２枚の壁面のそれぞれの中央に折目線が配置されている。また、底壁は、２枚の側壁の折目線を結ぶ折目線と、底壁の２本の対角線上のそれぞれに配置された折目線と、を有する。この包装容器では、側壁の互いに隣接する壁面の境界で折り曲げるとともに、各折目線に沿って折り曲げることによって、包装容器を折りたたむことができる。
【０００３】
特許文献２には、六角形の筒形状を有する包装容器が開示されている。この包装容器では、底壁に、対角線上に延びる１本の折目線が配置されている。底壁を折目線に沿って折り曲げるとともに、互いに隣接する側壁を広げることによって、包装容器を折りたたむことができる。
【先行技術文献】
【特許文献】
【０００４】
【特許文献１】特開２０１２−１０１８４４号公報
【特許文献２】実用新案登録第３１８１４５７号公報
【発明の概要】
【発明が解決しようとする課題】
【０００５】
上記した技術は、偶数角形の筒形状を有する包装容器を折りたたむ技術であり、五角形の筒形状を有する包装容器の折りたたみ、再組立てについては検討されていない。
【０００６】
本明細書では、五角形の筒形状を有する包装容器を側壁の連結を解かずに折りたたみ、再組立てを可能にする技術を開示する。
【課題を解決するための手段】
【０００７】
本明細書で開示される技術は、包装容器に関する。包装容器は、五角形の筒形状を有する側壁と、側壁の一端を閉塞する底壁と、を備える。側壁は、五角形の筒形状の側面に配置される平板状の第１〜第５壁面を有する。第１壁面は、筒形状の軸方向に垂直な方向の中央に、筒形状の軸方向に平行な第１折曲線を有する。底壁は、第１壁面に両端のそれぞれに隣接する第２壁面と第３壁面とのそれぞれに回動可能に連結されている第１底部と、第１底部の下面に接触しており、第４壁面と第５壁面とのそれぞれに回動可能に連結される第２底部と、を備える。第１底部は、第１折曲線の底壁側の端と第４壁面と第５壁面との境界線の底壁側の端とを結ぶ底部中心線上に位置する第２折曲線を有する。第２底部は、底部中心線上に位置する第３折曲線を有する。第１壁面は、第１折曲線において筒形状の外側に折り曲げ可能である。底壁は、第２折曲線と第３折曲線とにおいて筒形状の内側に折り曲げ可能である。
【０００８】
上記の構成では、第１折曲線に沿って第１壁面を筒形状の外側に折り曲げて、第２折曲線と第３折曲線とに沿って底壁を筒形状の内側に折り曲げることによって、第１壁面が２等分に折り曲げられ、第４壁面と第５壁面とがその境界線で互いに回動して接近する。これに伴って、第２壁面と第３壁面とが接近する。この結果、第２壁面と第３壁面との間及び第４壁面と第５壁面との間に、第２折曲線及び第３折曲線に沿って折り曲げられた底壁を挟んだ状態で、包装容器を折りたたむことができる。また、折りたたまれた状態から、第１〜第３折曲線を折りたたむ場合と反対側に折り曲げることによって、包装容器を再度組立てることができる。この構成によれば、五角形の筒形状を有する包装容器を側壁の連結を解かずに折りたたみ、再度組立てをすることができる。
【図面の簡単な説明】
【０００９】
【図１】第１実施例の蓋が閉じられている状態の包装容器の斜視図を示す。
【図２】第１実施例の蓋が開かれた状態の包装容器の斜視図を示す。
【図３】第１実施例の包装容器の展開図を示す。
【図４】第１実施例の底壁を上方から見た平面図を示す。
【図５】第１実施例の底壁を下方から見た底面図を示す。
【図６】第１実施例の包装容器を折りたたむ途中の上方から見た図を示す
【図７】第１実施例の包装容器を折りたたんだ後の側方から見た図を示す。
【図８】第２実施例の包装容器の斜視図を示す。
【図９】第２実施例の底壁を上方から見た平面図を示す。
【図１０】第２実施例の包装容器の展開図を示す。
【図１１】第２実施例の包装容器を折りたたんだ後の側方から見た図を示す。
【図１２】変形例の包装容器の展開図を示す。
【発明を実施するための形態】
【００１０】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１１】
（特徴１）本明細書で開示される包装容器では、底壁は、第１底部の上面に接触しており、第１壁面に回動可能に連結されている第３底部を備えていてもよい。第３底部は、第１折曲線の底壁側の端と第４壁面と第５壁面との間の頂点とを結ぶ線上に、筒形状の内側に折曲可能な第４折曲線を有していてもよい。この構成によれば、包装容器を組み立てた状態で、第３底部が第１壁面に対して角度を有して連結されているために、第１壁面が第１折曲線おいて筒形状の外側に折れ曲がることを抑制することができる。
【００１２】
（特徴２）本明細書で開示される包装容器では、第１底部は、第２壁面に回動可能に連結される第１底片と、第３壁面に回動可能に連結される第２底片と、を備えていてもよい。第１底片は、第２壁面から底部中心線を越えて、第３壁面側まで延びていてもよい。第２底片は、底部中心線よりも第３壁面側に位置していてもよい。第１底片と第２底片とは、底部中心線よりも第３壁面側で互いに固定されていてもよい。第２折曲線は、第１底片に配置されていてもよい。この構成によれば、第２壁面に連結されている第１底片と第３壁面に連結されている第２底片によって、第１底部が下方に撓むことを抑制することができる。
【００１３】
（特徴３）本明細書で開示される包装容器では、第２底部は、第４壁面に回動可能に連結される第３底片と、第５壁面に回動可能に連結される第４底片と、を備えていてもよい。第３底片は、第４壁面から底部中心線を越えて、第５壁面側まで延びていてもよい。第３底片と第４底片とは、底部中心線よりも第５壁面側で互いに固定されていてもよい。第３折曲線は、第４底片に配置されていてもよい。この構成によれば、第４壁面に連結されている第３底片と第５壁面に連結されている第４底片によって、第２底部が下方に撓むことを抑制することができる。
【００１４】
（特徴４）本明細書で開示される包装容器では、側壁の他端を閉塞する蓋を、さらに備えていてもよい。蓋は、第２〜第４壁面のいずれかの壁面に回動可能に連結されていてもよい。
【実施例】
【００１５】
（第１実施例）
図１は、蓋１２が閉じられている状態の包装容器１０の斜視図を示す。包装容器１０は、例えばお菓子等の物品を包装するために用いられる。図２は、蓋１２が開かれた状態の包装容器１０の斜視図を示す。図３は、包装容器１０が展開されたブランクＢＬ１を示す。包装容器１０は、１枚のブランクＢＬ１を組み立てることによって、作製される。包装容器１０は、厚紙等の丈夫な紙で作製されている。なお、包装容器１０の材料は、紙に限定されず、樹脂等の紙以外の材料であってもよい。
【００１６】
図１及び図２に示すように、包装容器１０は、側壁２０と、底壁３０（図４、図５参照）と、蓋１２と、を備える。側壁２０は、５枚の壁面２１，２２，２３，２４，２５を備える。壁面２１，２２，２３，２４，２５は、同一の矩形の平板形状を有する。側壁２０は、壁面２１，２２，２３，２４，２５によって、五角形の筒形状を構成している。
【００１７】
壁面２１の上端には、フラップ２１ａが配置されている。フラップ２１ａは、蓋１２が閉じられる際に、壁面２１に対して側壁２０の内側に回動して、包装容器１０内に配置される。壁面２１は、側壁２０の中心軸Ｘに垂直な方向の中央の位置に、折曲線４０を有する。折曲線４０は、フラップ２１ａの壁面２１の反対側の端から壁面２１の下端まで連続的に延びている。壁面２１は、折曲線４０において、側壁２０の外側に向けて折り曲げ可能である。壁面２１は、中心軸Ｘに垂直な方向の一端に壁面２２（図２の左側）が連結されており、側壁２０の中心軸Ｘに垂直な方向の左端に壁面２３（図２の右側）が連結されている。
【００１８】
壁面２２は、中心軸Ｘに平行な壁面２１，２２の境界線において壁面２１に対して回動可能に連結されている。壁面２２の上端には、蓋１２が回動可能に連結されている。蓋１２は、五角形の平板形状を有する。蓋１２は、側壁２０の上端を閉塞する。蓋１２は、フラップ１２ａと、差込片１２ｂと、を有する。フラップ１２ａは、蓋１２が閉じられる際に、蓋１２に対して側壁２０の内側に回動して、包装容器１０内に差し込まれる。蓋１２が閉じられる際に、差込片１２ｂは、後述する貫通孔２３ｂに差し込まれる。
【００１９】
壁面２２の壁面２１と反対側の端には、壁面２５が中心軸Ｘに平行な壁面２２，２５の境界線において壁面２２に対して回動可能に連結されている。壁面２５の上端には、フラップ２１ａと同様のフラップ２５ａが配置されている。壁面２５の壁面２２と反対側の端には、壁面２４が中心軸Ｘに平行な壁面２４，２５の境界線において壁面２４に対して回動可能に連結されている。図３に示すように、壁面２４の壁面２５と反対側の端には、接着片５４が中心軸Ｘに平行な壁面２４と接着片５４の境界線において壁面２４に対して回動可能に連結されている。接着片５４は、壁面２３の内面に接着される。これにより、側壁２０の壁面２１，２２，２３，２４，２５が一巡して連結された状態で維持される。
【００２０】
図１及び図２に示すように、壁面２１の壁面２２と反対側の端には、壁面２３が中心軸Ｘに平行な壁面２１，２３の境界線において壁面２１に対して回動可能に連結されている。壁面２３の上端には、フラップ２１ａと同様のフラップ２３ａが配置されている。壁面２３とフラップ２３ａとの間には、貫通孔２３ｂが配置されている。貫通孔２３ｂは、フラップ２３ａの壁面２３側の端で、フラップ２３ａを貫通している。
【００２１】
側壁２０の下端には、底壁３０が配置されている。図４は、底壁３０を上方から見た平面図であり、図５は、底壁３０を下方から見た底面図である。底壁３０は、３個の底部３１，３２，３８を備える。底部３１は、２個の底片３３，３４を備える。底片３３は、壁面２２の下端に連結されている。底片３３は、壁面２２と底片３３の境界線において壁面２２に対して回動可能に配置されている。底片３３は、略五角形の平板形状を有しており、側壁２０の下端の開口を略閉塞している。底片３３は、後述するように、包装容器１０を折りたたみ、又は再組立てする際に、底片３３がスムーズに折り曲げられるように切欠き３３ｂを有する。「略閉塞している」とは、切欠き３３ｂの領域だけ側壁２０の下端の開口が開いていることを意味する。
【００２２】
底片３３には、折曲線４２が配置されている。折曲線４２は、壁面２１の折曲線４０の下端と壁面２４，２５の境界線Ｙとを結ぶ底部中心線Ｚ上に配置されている。底片３３は、折曲線４２において、側壁２０の内側に折り曲げ可能である。底片３３には、折曲線４２を跨いで線対称に配置されるスリット３３ａが配置されている。
【００２３】
底片３３の上面には、底片３４が接着されている。底片３４は、壁面２３の下端に連結されている。底片３４は、壁面２３と底片３４の境界線において壁面２３に対して回動可能に配置されている。底片３４は、底部中心線Ｚよりも壁面２３側の領域に収まっている。底片３４は、下面の接着領域５０に塗布された接着剤（あるいはテープ）（図３参照）によって、底片３３に接着されている。
【００２４】
底部３１の下方には、底部３２が配置されている。底部３２は、２個の底片３５，３６を備える。底片３５は、壁面２４の下端に連結されている。底片３５は、壁面２４と底片３５の境界線において壁面２４に対して回動可能に配置されている。
【００２５】
底片３５には、折曲線４６が配置されている。折曲線４６は、底部中心線Ｚ上に配置されている。底片３５は、折曲線４６において、側壁２０の内側に折り曲げ可能である。底片３３には、折曲線４６よりも壁面２５側に接着領域５０と同様の接着領域５２が配置されている。
【００２６】
底片３５の上面には、底片３６が接着されている。底片３６は、上下方向において、底片３５と底片３３との間に配置されている。底片３６は、壁面２５の下端に連結されている。底片３６は、壁面２５と底片３６の境界線において壁面２５に対して回動可能に配置されている。底片３６は、底部中心線Ｚを越えて、壁面２４側の領域まで延びている。底片３６は、底片３５の接着領域５２に塗布された接着剤（あるいはテープ）によって、底片３５に接着されている。
【００２７】
底部３２は、互いに隣接する壁面２４，２５のそれぞれに連結されている底片３５，３６が接着されることによって形成されている。このため、底部３２は、互いに離間する壁面２２，２３のそれぞれに連結されている底片３３，３４が接着されて形成されている底部３１と比較して、撓みにくい。この構成によれば、底部３２によって、底部３１が下方に撓むことを抑制することができる。
【００２８】
底部３１の上方には、底部３８が配置されている。底部３８は、壁面２１の下端に連結されている。底部３８は、壁面２１と底部３８の境界線において壁面２１に対して回動可能に配置されている。底部３８は、底部中心線Ｚ上に延びる折曲線４４を有する。底部３８は、折曲線４４に沿って、側壁２０の内側に折り曲げ可能である。底部３８の壁面２１と反端側の端部は、底片３３のスリット３３ａに挿入されている。この構成によれば、底部３１が下方に撓むことを抑制することができる。また、底部３８が壁面２１に対して略垂直に配置されるために、壁面２１が折曲線４０において側壁２０の外側に向けて折れ曲がることを抑制することができる。
【００２９】
図１に示す包装容器１０を、折りたたみ、再度組み立てる手順を説明する。図６は包装容器１０を折りたたむ途中の上方から見た図であり、図７は包装容器１０を折りたたんだ後の壁面２３，２４から見た図である。折りたたむ手順としては、まず、図２に示すように蓋１２が開いた状態から、スリット３３ａに挿入されている底部３８を、スリット３３ａから抜き取る。次いで、底部３１，３２を、折曲線４２，４６に沿って折れ曲がるように、上方（即ち側壁２０の内側）に向かって押圧する。この結果、図５に示すように、底部３８が折曲線４４に沿って折り曲げられながら、側壁２０の内側に向かって壁面２１と重なるように回動するとともに、とともに、壁面２１が折曲線４０に沿って２等分に折れ曲がる。さらに、互いに隣接する壁面２４，２５が境界線Ｙを中心に回動して、壁面２４，２５の角度が小さくなる。図５に示す状態から、さらに、壁面２３と壁面２２が近づき、壁面２４と壁面２５が近づくように押圧することによって、図６に示すように、包装容器１０が折りたたまれる。折りたたまれた状態では、壁面２１は、底部３８を挟んで２等分に折り曲げられ、壁面２３は、底部３１を挟んで壁面２２と重なり、壁面２４は、底部３２を挟んで壁面２５と重なる。
【００３０】
再度組み立てる場合には、折りたたむ手順と逆の手順、即ち、図６に示す状態から、壁面２３と壁面２２が離間し、壁面２４と壁面２５が離間するように包装容器１０を展開する。これにより、側壁２０は、図５の状態を経て、図２に示す五角形の筒状に形成される。このとき、底部３１，３２は、折曲線４２，４６において展開され、底部３８は、折曲線４４において展開される。次いで、底部３８をスリット３３ａに挿入することによって、図２に示す包装容器１０を組み立てることができる。
【００３１】
本実施例では、底壁３０を底部中心線Ｚに沿って折り曲げるとともに、壁面２１を折曲線４０に沿って２等分に折り曲げることによって、五角形の筒形状を有する包装容器１０を、側壁２０の連結を解かずに折りたたみ、再組立てることができる。
【００３２】
（第２実施例）
第１実施例と異なる点を説明する。図８は、包装容器１１０の斜視図を示す。図９は、包装容器１１０の平面図を示す。図１０は、包装容器１１０が展開されたブランクＢＬ２を示す。包装容器１１０は、１枚のブランクＢＬ２を組み立てることによって、作製される。包装容器１１０は、五角形の筒形状を有する側壁１２０の上端を閉塞する蓋を備えていない。包装容器１１０は、側壁１２０と、底壁１３０と、を備える。
【００３３】
底壁１３０は、底壁３０と同様に、底部３１，３２，３８に相当する底部１３１，１３２，１３８を備える。底部１３１は、底片３３，３４に相当する底片１３３，１３４を備える。底部１３２は、底片３５，３６に相当する底片１３５，１３６を備える。底片１３３には折曲線４２に相当する折曲線１４２が、底片１３５には折曲線４６に相当する折曲線１４６が、底部１３８には折曲線４４に相当する折曲線１４４が、それぞれ配置されている。
【００３４】
側壁１２０は、外側壁面群１２０ａと内側壁面群１６０との二重構造を有している。外側壁面群１２０ａは、壁面２１，２２，２３，２４，２５のそれぞれと同様の壁面１２１，１２２，１２３，１２４，１２５を有する。内側壁面群１６０は、内側壁面１６１，１６２，１６３，１６４，１６５を備える。内側壁面群１６０は、内側壁面１６１，１６２，１６３，１６４，１６５によって、外側壁面群１２０ａの内側に、外側壁面群１２０ａの中心軸Ｘと同一の中心軸を有する五角形の筒形状を構成している。
【００３５】
内側壁面１６１は、壁面１２１の内側に壁面１２１と間隔を開けて配置されている。内側壁面１６１の上端は、上端部１８１を介して壁面１２１の上端に連結されている。内側壁面１６１は、上端部１８１を介して壁面１２１の上端に連結されている。上端部１８１は、壁面１６１と壁面１２１とのそれぞれに対して回動可能に連結されている。内側壁面１６１の下端（図８では上端）には、底フラップ１７１が配置されている。底フラップ１７１は、内側壁面１６１に対して回動可能に連結されており、後述する上底部１７２、１７３と底壁１３０との間に配置される。
【００３６】
内側壁面１６１には、内側壁面１６２が隣接している。内側壁面１６２は、壁面１２２の内側に間隔を開けて配置されている。内側壁面１６２の上端は、上端部１８２を介して壁面１２２の上端に連結されている。上端部１８２は、壁面１６２と壁面１２２とのそれぞれに対して回動可能に連結されている。内側壁面１６２の下端（図８では上端）には、上底部１７２が配置されている。上底部１７２は、内側壁面１６２に対して回動することによって、後述する上底部１７３とともに、底壁１３０の上方に配置される。内側壁面１６１には、内側壁面１６２と反対側に内側壁面１６３が隣接している。内側壁面１６３は、壁面１２３の内側に間隔を開けて配置されている。内側壁面１６３の上端は、上端部１８３を介して壁面１２３の上端に連結されている。上端部１８３は、壁面１６３と壁面１２３とのそれぞれに対して回動可能に連結されている。内側壁面１６３の下端（図８では上端）には、上底部１７３が配置されている。上底部１７３は、内側壁面１６３に対して回動することによって、上底部１７２とともに、底壁１３０の上方に配置される。
【００３７】
内側壁面１６２，１６３の間には、互いに隣接する内側壁面１６４，１６５が配置されている。内側壁面１６４，１６５は、それぞれ壁面１２４，１２５の内側に間隔を開けて配置されている。内側壁面１６４，１６５の上端は、それぞれ、上端部１８４，１８５を介して壁面１２４，１２５の上端に連結されている。上端部１８４は、壁面１６４と壁面１２４とのそれぞれに対して回動可能に連結されており、上端部１８５は、壁面１６５と壁面１２５とのそれぞれに対して回動可能に連結されている。内側壁面１６４，１６５の下端（図８では上端）には、それぞれ、底フラップ１７４，１７５が配置されている。底フラップ１７４，１７５は、それぞれ内側壁面１６４，１６５に対して回動することによって、底壁１３０と上底部１７２，１７３との間に配置される。
【００３８】
包装容器１１０を図８及び図９に示す状態から、図１１に示すように折りたたむ場合、まず、内側壁面群１６０を外側壁面群１２０ａに対して回動して、外側壁面群１２０ａの上方に展開する。次いで、包装容器１０と同様に、底壁１３０を押圧して折り曲げて、側壁１２０を折りたたむ。これにより、包装容器１１０は折りたたまれる。再度組み立てる場合、包装容器１０と同様に、側壁１２０を展開して五角形の筒形状を形成して、底部１３８をスリット１３３ａに挿入する。次いで、内側壁面群１６０を外側壁面群１２０ａに対して回動して、内側壁面群１６０を外側壁面群１２０ａの内側に配置する。
【００３９】
包装容器１１０では、側壁１２０及び底壁１３０を二重構造にすることによって、包装容器１１０の剛性を高くすることができる。また、上端部１８１，１８２，１８３，１８４，１８５を有するために、各壁面１２１，１２２，１２３，１２４，１２５，１６１，１６２，１６３，１６４，１６５の端縁が覆うことができる。さらに、底壁１３０は、上底部１７２，１７３によって、底部１３１，１３２，１３８を上方から覆うことによって、包装容器１１０の底面を平らにすることができる。
【００４０】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００４１】
（１）上記の第２実施例では、底壁１３０は、底部１３８を備える。しかしながら、図１２に示すように、底壁１３０は、底部１３８を備えていなくてもよい。この場合、底片１３３は、スリット１３３ａを有していなくてもよい。第１実施例の包装容器１０でも同様に、底壁３０は、底部３８を備えていなくてもよい。
【００４２】
（２）上記の第１実施例では、包装容器１０は、蓋１２を備えている。しかしながら、包装容器１０は、蓋１２を備えていなくてもよい。あるいは、包装容器１０は、側壁２０と別体で離間可能に設けられた蓋を備えていてもよい。第２実施例の包装容器１１０も同様に、側壁１２０と別体で離間可能に設けられた蓋を備えていてもよい。
【００４３】
（３）上記の第１実施例では、底部３１は、２個の底片３３，３４を備えている。しかしながら、底部３１は、壁面２２，２３の両方に固定される１枚の平板形状を有していてもよい。底部３２も同様に、壁面３５，３６の両方に固定される１枚の平板形状を有していてもよい。第２実施例の底部１３１，１３２も同様である。
【００４４】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００４５】
１０      ：包装容器
１２      ：蓋
２０      ：側壁
２１，２２，２３，２４，２５：壁面
３０      ：底壁
３１，３２：底部
３３，３４，３５，３６：底片
３８      ：底部
４０，４２，４４，４６：折曲線
ＢＬ１    ：ブランク
Ｘ        ：中心軸
Ｙ        ：境界線
Ｚ        ：底部中心線
【図１】
0006272932.tif 000002
【図２】
0006272932.tif 000003
【図３】
0006272932.tif 000004
【図４】
0006272932.tif 000005
【図５】
0006272932.tif 000006
【図６】
0006272932.tif 000007
【図７】
0006272932.tif 000008
【図８】
0006272932.tif 000009
【図９】
0006272932.tif 000010
【図１０】
0006272932.tif 000011
【図１１】
0006272932.tif 000012
【図１２】
0006272932.tif 000013